(57)【要約】【課題】  ユーザの好みに応じた披露宴用の案内状を一段と容易に作成し得る慶弔案内状作成装置、慶弔案内状作成方法、慶弔案内状作成プログラム、プログラム格納媒体及び慶弔案内状作成システムを提案することにある。【解決手段】  タイトル、挨拶文、結婚報告及び披露宴案内文が複数のブロックに分割され、かつそれぞれのブロック内に予め設けられた表現の異なる複数種類の文章が前後のブロック内のそれぞれの文章と繋がるように作成されていることにより、ユーザが任意に各ブロック毎に文章を選択しても、案内文の文章全体の整合性を保つことができるので、ユーザに対して前後の文章との繋がりをあまり考えさることなく受け取る側の人との関係に応じた案内文を容易に作成でき、かくしてユーザの好みに応じた案内状300を一段と容易に作成し得る。【選択図】        図５
2005215907.tif 000002
【特許請求の範囲】
【請求項１】
慶弔用の案内状を作成する慶弔案内状作成装置において、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示手段と、前記案内文作成情報に基づいて前記ブロック毎に任意の文章を選択させる選択手段とを備えることを特徴とする慶弔案内状作成装置。
【請求項２】
前記挨拶文のブロックは、複数の挨拶文ブロックに分割され、前記複数の挨拶文ブロックのうちいずれかに前記案内状を受け取る側の氏名又は名称を入力する入力ブロックが設けられていることを特徴とする請求項１記載の慶事案内状作成装置。
【請求項３】
前記案内文を分割した前記ブロックの間に予めイラストブロックが設けられ、前記イラストブロック内に複数種類のイラストを有し、前記選択手段により前記イラストブロックから任意のイラストを選択させることを特徴とする請求項１又は２記載の慶弔案内状作成装置。
【請求項４】
慶弔用の案内状を作成する慶弔案内状作成方法において、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示ステップと、前記案内文作成情報に基づいて前記ブロック毎に任意の文章を選択させる選択ステップとを備えることを特徴とする慶弔案内状作成方法。
【請求項５】
慶弔用の案内状を作成する慶弔案内状作成装置に対して、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示ステップと、前記案内文作成情報に基づいて前記ブロック毎に任意の文章を選択させる選択ステップとを実行させるための慶弔案内状作成プログラム。
【請求項６】
タイトル文、挨拶文及び慶弔に関する本文からなる案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示ステップと、前記案内文作成情報に基づいて前記ブロック毎に任意の文章を選択させる選択ステップとを備えることを特徴とする慶弔案内状作成プログラムを慶弔案内状作成装置に実行させるためのプログラム格納媒体。
【請求項７】
慶弔案内状作成装置にネットワークを介して接続された案内状提供装置を利用して慶弔用の案内状を作成する慶弔案内状作成システムにおいて、前記慶弔案内状作成装置は、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示手段と、前記案内文作成情報に基づいて前記ブロック毎に任意の文章を選択させる選択手段と、前記選択手段により選択した文章を示す案内状作成要求データを生成し、該案内状作成要求データを前記案内状提供装置へ送信する送信手段とを備え、前記案内状提供装置は、前記案内状作成要求データを受信する受信手段と、前記受信手段により受信した前記案内所作成要求データに基づいて案内状を作成する案内状作成手段とを備えることを特徴とする慶弔案内状作成システム。
【発明の詳細な説明】
【技術分野】
【０００１】
この発明は慶弔案内状作成装置、慶弔案内状作成方法、慶弔案内状作成プログラム、プログラム格納媒体及び慶弔案内状作成システムに関し、例えば、インターネットを介してパーソナルコンピュータにより結婚式の披露宴に用いる案内状を作成する披露宴案内状作成システムに適用して好適なものである。
【背景技術】
【０００２】
従来、披露宴案内状作成システムにおいては、ネットワークとしてのインターネットを利用し、予め用意された複数の例文パターンのうちから所定の例文パターンを選択させて容易に案内状を作成し得る結婚式・披露宴用ウェディング印刷物電子生成制御装置が提案されている（例えば、特許文献１参照）。
【０００３】
ところで、このような結婚式・披露宴用ウェディング印刷物電子生成制御装置を用いた、いわゆる披露宴案内状作成システムであっても、披露宴の案内状においては、当該案内状を受け取る側の人にお祝いの気持ちを起こさせるように、例えば案内状を受け取る側の人に応じて案内状の挨拶文や披露宴に関する報告文などが作成されることが望ましい。
【特許文献１】特開２００１−２９０８９８号公報（右欄第８頁乃至左欄第９頁）
【発明の開示】
【発明が解決しようとする課題】
【０００４】
ところが、かかる構成の披露宴案内状作成システムでは、選択した例文パターンを、ユーザの好みに応じて修正できるものの、例文パターンが一つの文章として先頭から末文まで予め作成されているため、案内状を受け取る側の人に応じて例文パターンを修正する場合、ユーザに対して当該修正箇所と前後の文章との繋がりを考えさせながら一文字ずつ修正さることになり、例文パターンを修正する毎に案内文の内容全体の整合性を再チェックさせるなど煩雑な手間を掛けさせてしまい、ユーザの好みに応じた案内状を容易に作成し得ないという問題があった。
【０００５】
そこで本発明は上記の問題点に着目してなされたもので、ユーザの好みに応じた案内状を一段と容易に作成し得る慶弔案内状作成装置、慶弔案内状作成方法、慶弔案内状作成プログラム、プログラム格納媒体及び慶弔案内状作成システムを提案しようとするものである。
【課題を解決するための手段】
【０００６】
本発明の請求項１では、慶弔用の案内状を作成する慶弔案内状作成装置において、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示手段と、前記案内文作成情報に基づいて前記ブロック毎に任意の文章を選択させる選択手段とを備えるようにした。
【０００７】
本発明の請求項２では、前記挨拶文のブロックは、複数の挨拶文ブロックに分割され、前記複数の挨拶文ブロックのうちいずれかに前記案内状を受け取る側の氏名又は名称を入力する入力ブロックが設けられているようにした。
【０００８】
本発明の請求項３では、前記案内文を分割した前記ブロックにはイラストブロックが設けられ、前記イラストブロック内に複数種類のイラストを有し、前記選択手段により前記イラストブロックから任意のイラストを選択させるようにした。
【０００９】
本発明の請求項４では、慶弔用の案内状を作成する慶弔案内状作成方法において、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示ステップと、前記案内文作成情報に基づいて前記ブロック毎に任意の文章を選択させる選択ステップとを備えるようにした。
【００１０】
本発明の請求項５及び６では、慶弔用の案内状を作成する慶弔案内状作成装置に対して、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示ステップと、前記案内文作成情報に基づいて前記ブロック毎に任意の文章を選択させる選択ステップとを実行させるようにした。
【００１１】
本発明の請求項７では、慶弔案内状作成装置にネットワークを介して接続された案内状提供装置を利用して慶弔用の案内状を作成する慶弔案内状作成システムにおいて、前記慶弔案内状作成装置は、タイトル文、挨拶文及び慶弔に関する本文からなる前記案内状の案内文が所定数のブロックに分割され、かつそれぞれ前記ブロック内に表現が異なる複数種類の文章を有し、前記複数種類の文章が前後のブロック内の文章と繋がるように予め作成された案内文作成情報を表示する表示手段と、前記案内文作成情報に基づいて前記ブロック毎に任意の文章を選択させる選択手段と、前記選択手段により選択した文章を示す案内状作成要求データを生成し、該案内状作成要求データを前記案内状提供装置へ送信する送信手段とを備え、前記案内状提供装置は、前記案内状作成要求データを受信する受信手段と、前記受信手段により受信した前記案内所作成要求データに基づいて案内状を作成する案内状作成手段とを備えるようにした。
【発明の効果】
【００１２】
本発明の請求項１、４、５、６及び７によれば、選択手段によって各ブロック毎にユーザが任意に文章を選択しても、案内文の内容全体の整合性が保たれているため、前後の文章との繋がりをあまり考えさせることなく、受け取る側の人との関係に応じて案内文の内容を容易に変更でき、かくしてユーザの好みに応じた案内状を一段と容易に作成し得る。
【００１３】
本発明の請求項２によれば、各ブロックから文章を選択するとともに、入力ブロックに案内状を受け取る側の人の氏名又は名称を入力するだけで、一般的な形式の案内状を作成できるとともに、さらに受け取る側の人に応じた内容の案内状を容易に作成できる。
【００１４】
本発明の請求項３によれば、前記案内文を分割した前記ブロックの間に予めイラストブロックを設けるようにしたことにより、イラストを選択するだけで案内文の間に所望のイラストを添付することができ、案内文の文章を作成できるだけでなく案内文全体のデザインをも容易に変更できる。
【発明を実施するための最良の形態】
【００１５】
以下、本発明における好ましい実施例について、添付図面を参照しながら説明する。
（１）披露宴案内状作成システムの全体構成
図１において、１は全体として本発明による慶弔案内状作成システムとしての披露宴案内状作成システムを示し、例えば結婚式場や披露宴会場、自宅などに設置されたパーソナルコンピュータ２と、サービスサーバ３とがインターネット４を介して互いに接続されている。
【００１６】
因みに、この披露宴案内状作成システム１では、ユーザの氏名、年齢及び住所などの各種個人情報が予めサービスサーバ３に登録されており、当該登録によって得たユーザ固有のパスワードなどを用いることにより、有料でサービスサーバ３の各種サービスを受け得るようになされている。
【００１７】
この披露宴案内状作成システム１では、結婚式場などに訪れたユーザや自宅などにいるユーザに対し、その場においてパーソナルコンピュータ２を用いて所望の披露宴用の案内状を作成し得るようになされている。
【００１８】
この場合、慶弔案内状作成装置としてのパーソナルコンピュータ２は、インターネット４を介してサービスサーバ３にアクセスし得、これにより当該サービスサーバ３から披露宴用の案内文を作成するための案内文作成画面データを受信する。
【００１９】
これによりパーソナルコンピュータ２では、案内文が予め複数ブロックに分割され、当該ブロック毎に文章やイラストが複数種類対応付けられた案内状作成画面を表示部に表示し、ユーザに対して各ブロック毎に文章やイラストを順次選択させて、案内状に添付される案内文を作成する。
【００２０】
そしてパーソナルコンピュータ２では、このようにして所望の案内文を複数パターン作成し得、それぞれ作成枚数が決定されると、これらをまとめて案内状作成データとしてサービスサーバ３に送信する。
【００２１】
案内状提供装置としてのサービスサーバ３は、パーソナルコンピュータ２から受信した案内文作成データに基づいて各ブロック毎にユーザにより選択された文章やイラストを読み出し、これらを所定のフレームに添付して案内状を作成し、これを案内状データとしてパーソナルコンピュータ２へ送信する。
【００２２】
このようにしてパーソナルコンピュータ２では、案内状データに基づいて表示部に試作の案内状を表示し得るようになされており、当該試作の案内状をユーザに目視確認させ、この結果、試作の案内状の作成が決定されると、これを決定データとしてサービスサーバ３へ送信する。
【００２３】
かくして、披露宴案内状作成システム１では、結婚式場などのその場でユーザによってパーソナルコンピュータ２により作成された試作の案内状を、サービスサーバ３が設置された受注側にそのまま発注し得、受注側がこれに基づき実際にユーザ所望の案内状を所定の枚数だけ作成し、これらをユーザに対して郵便などで受け渡すようになされている。
（２）パーソナルコンピュータの回路構成
図２に示すように、パーソナルコンピュータ２は、当該パーソナルコンピュータ２を統括的に制御するＣＰＵ（Central Processing Unit ）10に対して、ハードディスクドライブ（ＨＤＤ）11、ＲＡＭ（Random Access Memory）12、ＲＯＭ（Read Only Memory）13、ＴＣＰ／ＩＰ（Transmission Control Protocol/Internet Protocol ）のプロトコルでサービスサーバ３とインターネット４を介してデータ通信を行うためのネットワークインターフェース14、表示手段としての表示部15、キーボードやマウスなどからなる選択手段としての操作部16がバス17を介して接続されている。
【００２４】
ハードディスクドライブ11には、例えばＷｉｎｄｏｗｓ（登録商標）９８などのオペレーティングシステムプログラムなど各種アプリケーションプログラムが格納されている。
【００２５】
そして、ＣＰＵ10は、ハードディスクドライブ11に格納された各種プログラムを適宜読み出し、これをＲＡＭ12に展開して実行することにより種々の処理を実行し、当該処理結果を表示部15に表示する。
（３）サービスサーバの回路構成
図３に示すようにサービスサーバ３は、図示しないＣＰＵ、ＲＯＭ及びＲＡＭ等からなるマイクロコンピュータ構成の制御部20を有し、当該制御部20がＲＯＭに予め格納されている基本プログラム、アプリケーションプログラム及び案内状作成プログラムなどをＲＡＭに展開して実行することにより、サービスサーバ３における各種機能を統括的に制御するとともに、バス21を介して接続されたネットワークインターフェース22を介してパーソナルコンピュータ２との間でデータ通信し得るようになされている。
【００２６】
かかる構成に加えて、サービスサーバ３には、制御部20に対して、ブロック情報記憶部23と、作成案内状記憶部24とがバス21を介して接続されている。
【００２７】
ここで、図４に示すように、ブロック情報記憶部23内には、予め新郎用テーブル25と、新婦用テーブル26と、イラストテーブル27とが記憶されている。
【００２８】
この場合、図５に示すように、新郎用テーブル25は、タイトルＴａ、第１ＢブロックＢ１ａ、第２ブロックＢ２ａ、第３ブロックＢ３ａ、第４ブロックＢ４ａ及び第５ブロックＢ５ａから構成されており、当該タイトルＴａ、第１ＢブロックＢ１ａ、第２ブロックＢ２ａ、第３ブロックＢ３ａ、第４ブロックＢ４ａ及び第５ブロックＢ５ａ毎に予め複数種類の文章が対応付けられているとともに、識別番号Iａが当該文章毎に対応付けられて構成されている。
【００２９】
実際上、タイトルＴａ、第１ＢブロックＢ１ａ、第２ブロックＢ２ａ、第３ブロックＢ３ａ、第４ブロックＢ４ａ及び第５ブロックＢ５ａの各ブロック内における複数種類の文章の内容は、図５に示したように、前後のブロック内の文章と繋がるように予め作成されている。
【００３０】
この実施の形態の場合、例えば、タイトルＴａには、７つの識別番号「１」Iａ１〜「７」Iａ７に対して、新郎である男性が普段使うような文章で予め作成され、かつ案内状を受け取る側の人に結婚を報告するための表現の異なる７種類のタイトル文が対応付けられている。
【００３１】
また、第１BブロックＢ１ａとしては、９つの識別番号「１」Iａ１〜「９」Iａ９に対して、男性が普段用いるような文章で予め作成された表現の異なる９種類の第１挨拶文が対応付けられ、第２ブロックＢ２ａとしては、９つの識別番号「１」Iａ１〜「９」Iａ９に対して、第１挨拶文の内容と繋がり、かつ男性が普段用いるような文章で予め作成された表現の異なる９種類の第２挨拶文が対応付けられ、第３ブロックＢ３ａとしては、９つの識別番号「１」Iａ１〜「９」Iａ９に対して、男性が普段用いるような文章で予め作成された表現の異なる９種類の結婚報告文が対応付けられ、また、第４ブロックＢ４ａとしては、６つの識別番号「１」Iａ１〜「６」Iａ６に対して、男性が普段用いるような文章で予め作成された表現の異なる６種類の第１披露宴案内文が対応付けられ、さらに、第５ブロックＢ５ａとしては、６つの識別番号「１」Iａ１〜「６」Iａ６に対して、第１披露宴案内文の内容と繋がり、かつ男性が普段用いるような文章で予め作成された表現の異なる６種類の第２披露宴案内文が対応付けられている。
【００３２】
これに対して、図６に示すように、新婦用テーブル26は、タイトルＴｂ、第１ＢブロックＢ１ｂ、第２ブロックＢ２ｂ、第３ブロックＢ３ｂ、第４ブロックＢ４ｂ及び第５ブロックＢ５ｂから構成されており、当該タイトルＴｂ、第１ＢブロックＢ１ｂ、第２ブロックＢ２ｂ、第３ブロックＢ３ｂ、第４ブロックＢ４ｂ及び第５ブロックＢ５ｂ毎に予め複数種類の文章が対応付けられているとともに、識別番号Iｂが当該文章毎に対応付けられて構成されている。
【００３３】
実際上、タイトルＴｂ、第１ＢブロックＢ１ｂ、第２ブロックＢ２ｂ、第３ブロックＢ３ｂ、第４ブロックＢ４ｂ及び第５ブロックＢ５ｂの各ブロック内における複数種類の文章の内容は、図６に示したように、前後のブロック内の文章と繋がるように予め作成されている。
【００３４】
この実施の形態の場合、例えば、タイトルＴｂには、７つの識別番号「１」Iｂ１〜「７」Iｂ７に対して、新婦である女性が普段用いるような文章で予め作成され、かつ案内状を受け取る側の人に結婚を報告するための表現の異なる７種類のタイトル文が対応付けられている。
【００３５】
また、第１BブロックＢ１ｂとしては、９つの識別番号「１」Iｂ１〜「９」Iｂ９に対して、女性が普段用いるような文章で予め作成された表現の異なる９種類の第１挨拶文が対応付けられ、第２ブロックＢ２ｂとしては、９つの識別番号「１」Iｂ１〜「９」Iｂ９に対して、第１挨拶文の内容と繋がり、かつ女性が普段用いるような文章で予め作成された表現の異なる９種類の第２挨拶文が対応付けられ、第３ブロックＢ３ｂとしては、９つの識別番号「１」Iｂ１〜「９」Iｂ９に対して、女性が普段用いるような文章で予め作成された表現の異なる９種類の結婚報告文が対応付けられ、また、第４ブロックＢ４ｂとしては、６つの識別番号「１」Iｂ１〜「６」Iｂ６に対して、女性が普段用いるような文章で予め作成された表現の異なる６種類の第１披露宴案内文が対応付けられ、さらに、第５ブロックＢ５ｂとしては、６つの識別番号「１」Iｂ１〜「６」Iｂ６に対して、第１披露宴案内文の内容と繋がり、かつ女性が普段用いるような文章で予め作成された表現の異なる６種類の第２披露宴案内文が対応付けられている。
【００３６】
そして、図７に示すように、イラストテーブル27には、10つの識別番号「１」I１ｃ〜「10」I10ｃに対して、異なる絵柄の10種類のイラストPが予め対応付けられている。
【００３７】
因みに、新郎用テーブル25、新婦用テーブル26及びイラストテーブル27にそれぞれ予め記憶されている各種文章やイラストは、図５、図６及び図７に示した各図中の各種文章やイラストに限定されず、各種多様な文章やイラストを用いるようにしても良い。
（４）パーソナルコンピュータにおける案内状取得処理手順
次にパーソナルコンピュータ２における案内状取得処理手順を図８のフローチャートを用いて説明する。
【００３８】
パーソナルコンピュータ２のＣＰＵ10（図２）は、ルーチンRT１の開始ステップから入ってステップSP１へ移る。ステップSP１においてＣＰＵ10は、操作部16を介してサービスサーバ３固有のアドレス情報からなるホームページ閲覧要求が与えられると、インターネット４を介してサービスサーバ３へホームページ閲覧要求データを送信し、次のステップSP２へ移る。
【００３９】
ステップSP２においてＣＰＵ10は、サービスサーバ３からHTMLファイルでなるホームページデータを受信し、当該ホームページデータに基づいて表示部15にホームページのトップページ（図示せず）を表示して、次のステップSP３へ移る。
【００４０】
ステップSP３においてＣＰＵ10は、表示部15にホームページのトップページを表示した状態で、ユーザにより操作部16を介して自己が新郎又は新婦であるかを表す選択命令が与えられたか否かを判断する。
【００４１】
ここで否定結果が得られると、このことは未だ選択命令が与えられていないことを表しており、このときＣＰＵ10は、ユーザにより操作部16を介して選択命令が与えられるまで待ち受ける。
【００４２】
これに対してステップSP３で肯定結果が得られると、このことは選択命令が与えられたこと、すなわちユーザにより新郎又は新婦のいずれか一方が選択され、これを選択データとしてサービスサーバ３へ送信したことを表しており、このときＣＰＵ10は、次のステップSP４へ移る。
【００４３】
ステップSP４においてＣＰＵ10は、選択命令に応じてサービスサーバ３から新郎用又は新婦用の案内状作成画面データを受信し、当該案内状作成画面データに基づいて、図９に示すように、例えば新婦用の案内状作成画面100を表示部15に表示し、次のステップSP５へ移る。
【００４４】
ここで案内状作成情報としての新婦用案内状作成画面100には、新郎及び新婦の氏名や挙式日を入力するユーザ情報領域101と、ユーザに対して各ブロック内の文章を参照させるとともに、入力方法を指示した入力参考領域102と、ユーザに対してイラストを選択させるためのイラスト参考領域103と、入力参考領域102及びイラスト参考領域103に基づいて選択した選択番号などを操作部16を介して入力する入力領域104とが設けられている。
【００４５】
実際上、この入力参考領域102には、案内状を分割したブロックとしてタイトル、イラスト１、第１Ａブロック、第１Ｂブロック、イラスト２、第２ブロック、第３ブロック、第４ブロック、第５ブロック、オプションA、オプションB及びイラスト３が順次表示されているとともに、選択番号「１」〜「９」が表示されている。
【００４６】
ここでタイトル、第１Ｂブロック、第２ブロック、第３ブロック、第４ブロック及び第５ブロックの各欄には、サービスサーバ３のブロック情報記憶部23に記憶された新婦用テーブル26のタイトルＴｂ、第１ＢブロックＢ１ｂ、第２ブロックＢ２ｂ、第３ブロックＢ３ｂ、第４ブロックＢ４ｂ及び第５ブロックＢ５ｂに対応付けた文章と同じ文章が選択番号「１」〜「９」に対応させて表示されている。
【００４７】
また、オプションAとしては、ユーザによって自由に文章を入力できるもの（追伸欄）であり、オプションBとしては、ユーザが操作部16のマウスなどを用いて手書きで自筆サインなどキャラクタを直接入力できるものである。
【００４８】
イラスト参考領域103には、サービスサーバ３のブロック情報記憶部23に記憶されたイラストテーブル27のイラストと同じ10種類のイラストが選択番号「１」〜「10」に対応して表示されている。
【００４９】
入力領域104には、タイトル、イラスト１、第１Aブロック、第１Bブロック、イラスト２、第２ブロック、第３ブロック、第４ブロック、第５ブロック、オプションA、オプションB及びイラスト３の各入力欄105が順次設けられているとともに、選択番号などが入力されて完成した試作パターン（この場合パターンＡ及びパターンＢの２種類）の案内状をそれぞれ何枚作成するかを入力できる枚数入力欄106が設けられている。
【００５０】
なお、この実施の形態の場合、２種類の試作バターンを作成できるようにしたが、本発明はこれに限らず、３種類や４種類など種々の数の試作パターンを作成できるようにしても良い。
【００５１】
実際上、入力欄105のうちタイトル、第１Bブロック、第２ブロック、第３ブロック、第４ブロック及び第５ブロックの各欄には、入力参考領域102に基づいて選択された選択番号「１」〜「９」がそれぞれ入力され、入力欄105のうちイラストブロックとしてのイラスト１、イラスト２及びイラスト３には、イラスト参考領域103に基づいて選択された選択番号「１」〜「10」が入力される。また、入力欄105のうち第１Aブロック、オプションA及びオプションBには、操作部16を介してユーザにより入力された文章が入力される。因みに、オプションAについては、当該オプションＡを選択するためのオプション選択欄107が設けられており、ユーザの好みに応じて設定し得る。
【００５２】
実際上、ＣＰＵ10は、操作部16を介して入力欄105のタイトルの欄に選択番号「１」〜「７」のいずれかが入力されると、これを対応する番号の識別番号「１」I１ｂ〜「９」I７ｂ（この場合、新婦用であるため新婦用テーブル26と同じ識別番号「１」I１ｂ〜「９」I７ｂ）として認識し、当該識別番号「１」I１ｂ〜「９」I７ｂをタイトルの欄と対応付けたタイトルデータを生成する。
【００５３】
すなわち、ＣＰＵ10は、例えば入力欄105のタイトルの欄に選択番号「２」が入力されると、これを対応する番号の識別番号「２」I２ｂとして認識し、当該識別番号「２」I２ｂをタイトルの欄と対応付けたタイトルデータを生成する。
【００５４】
同様にして、ＣＰＵ10は、入力欄105の第１Bブロック、第２ブロック、第３ブロック、第４ブロック及び第５ブロックの各欄に選択番号「１」〜「９」がそれぞれ入力されると、これを対応する番号の識別番号「１」I１ｂ〜「９」I９ｂとして認識し、入力した各欄に当該識別番号「１」I１ｂ〜「９」I９ｂを対応付けて、第１Bブロックデータ、第２ブロックデータ、第３ブロックデータ、第４ブロックデータ及び第５ブロックデータを生成する。
【００５５】
また、ＣＰＵ10は、入力欄105のイラスト１、イラスト２及びイラスト３に選択番号「１」〜「10」のいずれかが入力されると、これを対応する番号の識別番号「１」I１ｃ〜「10」I10cとして認識し、イラスト１、イラスト２及びイラスト３の各欄に当該識別番号「１」I１ｃ〜「10」I10cを対応付けたイラスト群データを生成する。
【００５６】
さらに、ＣＰＵ10は、入力欄105のうち、案内状を受け取る側の氏名又は名称を入力するための入力ブロックとしての第１Aブロックに氏名などが入力されると、これを第１Aブロックの欄と対応付けた第１Aブロックデータを生成する。
【００５７】
さらに、ＣＰＵ10は、入力欄105のオプションA及びオプションBにそれぞれ文章などが入力されると、これをオプションA及びオプションBの欄にそれぞれ対応付けたオプション群データを生成し、また、枚数入力領域に数が入力されると、これを案内状の試作パターン毎（この場合、入力領域104の縦の欄であるパターンＡ及びパターンＢ）に対応付けた作成枚数データを生成する。
【００５８】
このようにして、ＣＰＵ10は、入力欄105の入力に基づいて、データ生成処理を実行することにより、タイトルデータ、第１Aブロックデータ、第１Bブロックデータ、第２ブロックデータ、第３ブロックデータ、第４ブロックデータ、第５ブロックデータ、イラスト群データ、オプション群データ及び作成枚数データを生成し、これらをまとめた案内状作成要求データを生成する。
【００５９】
ところで、ステップSP４においてＣＰＵ10は、ステップSP３でユーザにより新郎が選択されると、この選択命令に応じてサービスサーバから新郎用の案内状作成画面データを受信し、当該案内状作成画面データに基づいて、図10に示すように、表示部15に新郎用の案内状作成画面200を表示する。
【００６０】
ここで案内状作成情報としての新郎用案内状作成画面200は、新郎及び新婦の氏名や挙式日を入力するユーザ情報領域201と、ユーザに対して各ブロックの文章を参照させるとともに、入力方法を指示した入力参考領域202と、ユーザに対してイラストを選択させるためのイラスト参考領域203と、入力参考領域202及びイラスト参考領域203に基づいて選択した選択番号などを操作部16を介して入力する入力領域204とが設けられている。
【００６１】
この新郎用案内状作成画面200は、図９に示した新婦用案内状作成画面100と同様の構成であるものの、入力参考領域202に新郎用の文章が表示されており、新婦用案内状作成画面100の入力参考領域102と文章が異なるものである。
【００６２】
実際上、この入力参考領域202には、案内状を分割したブロックとしてタイトル、イラスト１、第１Ａブロック、第１Ｂブロック、イラスト２、第２ブロック、第３ブロック、第４ブロック、第５ブロック、オプションA、オプションB及びイラスト３が順次表示されているとともに、選択番号「１」〜「９」が表示されている。
【００６３】
ここでタイトル、第１Ｂブロック、第２ブロック、第３ブロック、第４ブロック及び第５ブロックの各欄には、サービスサーバ３のブロック情報記憶部23に記憶された新郎用テーブル25のタイトルＴａ、第１BブロックＢ１ａ、第２ブロックＢ２ａ、第３ブロックＢ３ａ、第４ブロックＢ４ａ及び第５ブロックＢ５ａに対応付けた文章と同じ文章が選択番号「１」〜「９」に対応させて表示されている。
【００６４】
入力領域204には、新婦用案内状作成画面100と同様にタイトル、イラスト１、第１Aブロック、第１Bブロック、イラスト２、第２ブロック、第３ブロック、第４ブロック、第５ブロック、オプションA、オプションB及びイラスト３の各入力欄205が順次設けられているとともに、選択番号などが入力されて完成した試作パターンの案内状をそれぞれ何枚作成するかを入力できる枚数入力欄206が設けられている。因みに、オプションAについては、当該オプションＡを選択するためのオプション選択欄207が設けられており、ユーザの好みに応じて設定し得る。
【００６５】
この場合、ＣＰＵ10は、例えば操作部16を介して入力欄205のタイトルの欄に選択番号「１」〜「７」のいずれかが入力されると、これを対応する番号の識別番号「１」I１a〜「９」I７a（この場合、新郎用であるため新郎用テーブル25と同じ識別番号「１」I１a〜「９」I７a）として認識し、当該識別番号「１」I１a〜「９」I７aをタイトルの欄と対応付けたタイトルデータを生成する。
【００６６】
このようにして、ＣＰＵ10は、上述と同様に入力欄205の入力に基づいて、データ生成処理を実行することにより、タイトルデータ、第１Aブロックデータ、第１Bブロックデータ、第２ブロックデータ、第３ブロックデータ、第４ブロックデータ、第５ブロックデータ、イラスト群データ、オプション群データ及び作成枚数データを生成し、これらをまとめた案内状作成要求データを生成する。
【００６７】
ステップSP５においてＣＰＵ10は、操作部16を介して例えば新婦用案内状作成画面100に設けられた終了ボタン（図示せず）が選択され、案内状作成要求がされたか否かを判断する。
【００６８】
ここで否定結果が得られると、このことは未だ終了ボタンが選択されていないことを表しており、このときＣＰＵ10は、終了ボタンが選択されるまで待ち受ける。
【００６９】
これに対してステップSP５で肯定結果が得られると、このことはユーザにより終了ボタンが選択されたことを表しており、このときＣＰＵ10は、次のステップSP６へ移る。
【００７０】
ステップSP６においてＣＰＵ10は、入力領域104のパターンＡ又はパターンＢのうち少なくとも１パターンにおける全欄が入力され１以上の案内状が完成されているか否かを判断する。
【００７１】
ここで否定結果を得られると、このことは入力領域104のパターンＡ又はパターンＢのいずれの欄も未だ入力が終了しておらず、１つも案内状が完成されていないことを表しており、このときＣＰＵ10は、次のステップSP７へ移る。
【００７２】
ステップSP７においてＣＰＵ10は、表示部16に例えば「入力が終了しておりません」との警告文を表示し、再びステップSP５へ移り、ステップSP６で肯定結果が得られるまで上述した処理を繰り返す。
【００７３】
これに対してステップSP６で肯定結果が得られると、このことは入力領域104のパターンＡ又はパターンＢのうち少なくとも１パターンの全欄の入力が終了し、１以上の試作の案内状が完成されていることを表しており、このときＣＰＵ10は、次のステップSP８へ移る。
【００７４】
ステップSP８においてＣＰＵ10は、上述したようにして生成した案内状作成要求データをサービスサーバ３へ送信し、これに応じてサービスサーバ３で作成した案内状データを受信することにより、当該案内状データに基づいて、図11に示すような案内状300と、当該案内状の作成部数（図示せず）とが表示された確認画面（図示せず）を表示部15に表示し、次のステップSP９へ移る。
【００７５】
因みに、案内状300の挙式及び披露宴の日時や場所などの情報は予め入力しておくか、或いはこの段階で入力するようにする。
【００７６】
また、この場合、入力領域104に複数種類の案内状の試作パターン（この場合パターンＡ及びパターンＢ）が入力されているときには、これに応じて複数種類の案内状が表示部15に表示し得るようになされている。これによりユーザは複数種類の案内状を同時に目視確認し得るようになされている。
【００７７】
ステップSP９においてＣＰＵ10は、表示部15に表示された確認画面の決定ボタン（図示せず）が選択されたか否かを判断する。
【００７８】
ここで否定結果が得られると、このことは表示部15に表示された案内状300を目視確認したユーザがさらに別のパターンの案内状を作成したことを希望しキャンセルボタン（図示せず）を選択したことを表しており、このときＣＰＵ10は、再びステップSP２へ移り、表示部15にホームページを表示し、上述した処理を繰り返す。
【００７９】
これに対してステップSP９で肯定結果が得られると、このことは表示部15に表示された案内状300を目視確認したユーザが決定ボタンを選択し、決定データをサービスサーバ３へ送信したことを表しており、このときＣＰＵ10は、次のステップSP10へ移り案内状取得処理を終了する。
【００８０】
かくして、パーソナルコンピュータ２では、作成した案内状を、サービスサーバ３が設置された受注側にそのまま発注し得るようになされている。
（５）サービスサーバにおける案内状提供処理手順
次にサービスサーバにおける案内状提供処理手順について図12のフローチャートを用いて説明する。
【００８１】
サービスサーバ３の制御部20（図３）は、ルーチンRT２の開始ステップから入ってステップSP21へ移る。ステップSP21において制御部20は、インターネット４を介してパーソナルコンピュータ２からホームページ閲覧要求データを受信すると、これに応じてホームページデータをパーソナルコンピュータ２へ送信し、次のステップSP22へ移る。
【００８２】
ステップSP22において制御部20は、パーソナルコンピュータ２から選択データを受信したか否かを判断する。
【００８３】
ここで否定結果が得られると、このことは未だパーソナルコンピュータ２から選択データを受信していないことを表しており、このとき制御部20は、パーソナルコンピュータ２から選択データを受信するまで待ち受ける。
【００８４】
これに対してステップSP22で肯定結果が得られると、このことはパーソナルコンピュータ２から選択データを受信したことを表しており、このとき制御部20は、次のステップSP23へ移る。
【００８５】
ステップSP23において制御部20は、パーソナルコンピュータ２から受信した選択データが新郎用の案内状作成画面200を要求しているか否かを判断する。
【００８６】
ここで否定結果が得られると、このことは選択データが新婦用の案内状作成画面100を要求していること、すなわちパーソナルコンピュータ２を利用しいているユーザが女性であることを表しており、このとき制御部20は、次のステップSP24へ移る。
【００８７】
ステップSP24において制御部20は、案内状作成プログラムに基づき案内状作成画面生成処理を実行することにより新婦用の案内状作成画面データを生成し、これをパーソナルコンピュータ２へ送信して、次のステップSP26へ移る。
【００８８】
これに対してステップSP23で肯定結果が得られると、このことは選択データが新郎用の案内状作成画面200を要求していること、すなわちパーソナルコンピュータ２を利用しているユーザが男性であることを表しており、このとき制御部20は、次のステップSP25へ移る。
【００８９】
ステップSP25において制御部20は、案内状作成プログラムに基づいて案内状作成画面生成処理を実行することにより新郎用の案内状作成画面データを生成し、これをパーソナルコンピュータ２へ送信して、次のステップSP26へ移る。
【００９０】
その後、ステップSP26において制御部20は、パーソナルコンピュータ２から案内状作成要求データを受信したか否かを判断する。
【００９１】
ここで否定結果がえられると、このことは案内状作成要求データを受信していないこと、すなわち未だユーザにより案内文やイラストなどが選択されておらず試作の案内状が完成していないことを表しており、このとき制御部20は、パーソナルコンピュータ２から案内状作成要求データを受信するまで待ち受ける。
【００９２】
これに対してステップSP26で肯定結果が得られると、このことは案内状作成要求データを受信したこと、すなわちユーザにより案内文やイラストなどが選択され試作の案内状が完成したことを表しており、このとき制御部20は、次のステップSP27へ移る。
【００９３】
ステップSP27において制御部20は、案内状作成プログラムにより案内状作成処理を実行し、案内状作成要求データに基づいて試作の案内状を作成する。
【００９４】
実際上、制御部20は、案内状作成処理として、例えば、新婦用の案内状作成画面100に基づいて生成した案内状作成要求データを受信すると、当該案内状作成要求データのタイトルデータ、第１Bブロックデータ、第２ブロックデータ、第３ブロックデータ、第４ブロックデータ及び第５ブロックデータに対応付けられた識別番号「１」I１ｂ〜「９」I９ｂに基づいて、新婦用テーブル26から各ブロック毎に対応する文章を選択的に読み出し、図13に示すように、入力領域104と同じように配置されたタイトル領域301、第１Bブロック領域302、第２ブロック領域303、第３ブロック領域304、第４ブロック領域305及び第５ブロック領域306（以下、これらをまとめてブロック領域と呼ぶ、）を有するフレームに各文章を順次添付する。
【００９５】
すなわち、制御部20は、例えば第１Ｂブロックデータに基づいて、ブロック情報記憶部23から読み出された「お久しぶりです」という文章を、当該第１Ｂブロックデータと対応する第１Ｂブロック領域302に添付するようになされている。
【００９６】
また、制御部20は、イラスト群データの識別番号「１」I１ｃ〜「10」I10ｃに基づいて、イラストテーブル27からイラスト１、イラスト２及びイラスト３の３つのイラストPを選択的に読み出し、入力領域104と同じように配置されたイラスト１ブロック領域307、イラスト２ブロック領域308及びイラスト３ブロック領域309（すなわち、イラスト１はタイトルの上部、イラスト２は第２ブロックと第３ブロックの間、イラスト３はオプションAの下部）に当該イラストPをそれぞれ添付する。
【００９７】
さらに、制御部20は、第１Ａブロックデータに基づいて、ユーザによって入力された文章（この場合、氏名や名称）を第１Ｂブロック領域302に並列に配置された第１Ａブロック領域310に添付する。
【００９８】
さらに、制御部20は、オプション群データに基づいて、オプションAについてユーザによって入力された文章を、第５ブロック領域305の下部に予め配置されたオプションＡ領域311に添付し、オプションＢについてユーザにより入力された文章などを、イラスト３と並列に配置されたオプションＢ領域312に手書きで入力されたキャラクタをそのまま添付する。
【００９９】
このようにして制御部20は、案内状作成処理を実行し、ブロック情報記憶部23から読み出した文章やイラストを、予め設けられたフレームの各領域に添付することにより、図11に示したような試作の案内状300を作成し、これを案内状データとしてパーソナルコンピュータ２へ送信して、次のステップSP28へ移る。
【０１００】
ステップSP28において制御部20は、パーソナルコンピュータ２から決定データを受信したか否かを判断する。
【０１０１】
ここで否定結果が得られると、このことは未だパーソナルコンピュータ２から決定データを受信していないことを表しており、このとき制御部20は、決定データを受信するまで待ち受ける。
【０１０２】
これに対してステップSP28で肯定結果が得られると、このことはパーソナルコンピュータ2から決定データを受信したこと、すなわちユーザが案内状の案内文やイラストを決定したことを表しており、このとき制御部20は、次のステップSP29に移る。
【０１０３】
ステップSP29において制御部20は、ステップSP26でパーソナルコンピュータ２から受信した案内状作成データを作成案内状記憶部24に記憶し、次のステップSP30へ移り、案内状提供処理を終了する。
【０１０４】
かくして、サービスサーバ３が設けられた受注側では、作成案内状記憶部24に記憶した案内状作成データに基づき、ユーザ所望の案内状を各パターン毎に所定の枚数だけ作成し、これらをユーザに対して郵便などで受け渡すようになされている。
（６）動作及び効果
以上の構成において、披露宴案内状作成システム１では、例えば結婚式場などに設置されたパーソナルコンピュータ２を用いて、新郎用又は新婦用の案内状を作成するための案内状作成画面データをサービスサーバ３から受信する。
【０１０５】
これによりパーソナルコンピュータ２では、披露宴用の案内文がタイトル文、第１及び第２挨拶文、結婚報告文、第１及び第２披露宴案内文の各ブロックに予め分割され、かつ各ブロックに応じて予め複数種類の文章が設けられた案内状作成情報としての案内状作成画面100又は200が表示部15に表示される。
【０１０６】
そしてパーソナルコンピュータ２では、ユーザに対して各ブロック毎にそれぞれ任意の文章を一つずつ選択させ、当該選択された文章に対応する選択番号「１」〜「９」を入力領域104の各欄に順次入力させるとともに、入力欄104又は204の第１Aブロック、オプションＡ及びオプションＢの各欄に任意の文章を入力させ、またパターンＡ及びパターンＢ毎に作成枚数を入力させて、これらを案内状作成データとしてサービスサーバ３へ送信する。
【０１０７】
これによりサービスサーバ３は、パーソナルコンピュータ２からの案内状作成データに基づいて、案内状作成処理を実行することにより試作の案内状300を作成し、これを案内状データとしてパーソナルコンピュータ２へ送信して当該パーソナルコンピュータ２の表示部15に試作の案内状300を表示させる。
【０１０８】
このようにパーソナルコンピュータ２では、各ブロック毎に任意に選択した選択番号「１」〜「９」を入力しさえすれば、タイトル文、挨拶文（この場合、第１及び第２挨拶文）、結婚報告文及び披露宴案内文（この場合、第１及び第２披露宴案内文）からなる一般的な形式の案内文300を容易に作成できる。
【０１０９】
また、この場合、タイトル文、挨拶文、結婚報告文及び披露宴案内文の各ブロック内に予め設けられた表現の異なる複数種類の文章が、前後のブロック内の文章と繋がるように作成されていることにより、各ブロック毎にユーザが任意に文章を選択しても、案内文の内容全体の整合性が保たれているため、ユーザに対して前後の文章との繋がりをあまり考えさせることなく、受け取る側の人との関係に応じて案内文の内容を容易に変更できる。
【０１１０】
また、第１Aブロック、オプションＡ及びオプションＢに自由な文章を入力できるようにしたことにより、一般的な形式の案内状300を作成できるとともに、さらに受け取る側の人に応じた案内状300を容易に作成できる。
【０１１１】
さらに、イラスト１、イラスト２及びイラスト３を案内文の間に予め配置し、複数種類のイラストを選択できるようにしたことにより、イラストを選択するだけで案内文の間に所望のイラストを添付することができ、案内文だけでなく案内状のデザインを容易に変更できる。
【０１１２】
さらに、パーソナルコンピュータ２を用いるユーザの性別に合わせて新婦用と新郎用とに文章の表現が異なる案内状作成画面100又は200のいずれかを選択できるようにしたことにより、あたかもユーザ自身によって文章の内容全てを考えたかのような案内状300を容易に作成できる。
【０１１３】
さらに、入力領域104にパターンＡ及びパターンＢの複数種類の案内状を入力できるようにしたことにより、同時に複数種類の案内状300を容易に作成することができる。
【０１１４】
そして、披露宴案内状作成システム１では、パーソナルコンピュータ２がインターネット４を介してサービスサーバ３に接続した状態で試作の案内状300を作成できるとともに、パターンＡ及びパターンＢ毎に作成枚数を入力できるようにしたことにより、作成した案内状300と、その作成枚数とをそのまま結婚式場などから当該サービスサーバ３が設置された受注側に直接発注することができる。
【０１１５】
因みに、図１〜図13について上述した披露宴案内状作成システム１に対して銀行等で用いられる電子決裁処理装置を設けて当該電子決裁処理装置により、種々の条件で作成した案内状300の提供によって発生する代金の電子的な決裁処理を実行すれば、インターネット４を利用してユーザ所望の案内状300を提供し得るビジネスモデルを構築することが可能である。
【０１１６】
以上の構成によれば、本実施例では、タイトル文、挨拶文、結婚報告文及び披露宴案内文が複数のブロックに分割され、かつそれぞれのブロック内に予め設けられた表現の異なる複数種類の文章が前後のブロック内のそれぞれの文章と繋がるように作成されていることにより、操作部16によって各ブロック毎にユーザが任意に文章を選択しても、案内文の内容全体の整合性が保たれているため、前後の文章との繋がりをあまり考えさせることなく、受け取る側の人との関係に応じて案内文の内容を容易に変更でき、かくしてユーザの好みに応じた案内状を一段と容易に作成し得る。
（７）他の実施の形態
なお、上述した実施の形態においては、パーソナルコンピュータ２によって生成した案内状作成データをサービスサーバ３へ送信し、これによりサービスサーバ３で案内状作成処理を実行して試作の案内状300を作成するようにした場合について述べたが、本発明はこれに限らず、パーソナルコンピュータ２により生成した案内状作成データを用いて、当該パーソナルコンピュータ２で案内状作成処理を実行して試作の案内状300を作成するようにしても良い。
【０１１７】
この場合、パーソナルコンピュータ２は、予めハードディスクドライブ11に、案内状作成画面生成処理及び案内状作成処理を実行するための案内状作成プログラムを記憶しているとともに、新郎用テーブル、新婦用テーブル及びイラストテーブルを記憶しており、当該案内状作成プログラムに基づいて表示部15に案内状作成画面100又は200を表示し、さらに案内状作成処理を実行し、当該新郎用テーブル、新婦用テーブル及びイラストテーブルを用いて試作の案内状300を作成する。
【０１１８】
また、上述した実施の形態においては、サービスサーバ３の制御部20が内部のＲＯＭに予め格納された案内状作成プログラムに基づいて、案内状を作成する一連の処理を実行するようにした場合について述べたが、本発明はこれに限らず、案内状作成プログラムの記録されたプログラム格納媒体をパーソナルコンピュータ２にインストールすることにより、上述した一連の処理を実行するようにしても良い。
【０１１９】
このように上述した一連の処理を実行するための案内状作成プログラムをパーソナルコンピュータ２にインストールし、当該パーソナルコンピュータ２によって実行可能な状態とするために用いられるプログラム格納媒体としては、例えば、フロッピー（登録商標）ディスク、ＣＤ−ＲＯＭ（Compact Disc-Read Only Memory ）、ＤＶＤ（Digital Video Disc）等のパッケージメディアのみならず、プログラムが一時的もしくは永続的に格納される半導体メモリや磁気ディスク等で実現しても良い。また、これらプログラム格納媒体にプログラムを格納する手段としては、ＬＡＮやインターネット、ディジタル衛星放送等の有線及び無線通信媒体を利用しても良く、ルータやモデム等の各種通信インターフェイスを介在させて格納するようにしても良い。
【０１２０】
さらに、上述した実施の形態においては、披露宴の案内状を作成するようにした場合について述べたが、本発明はこれに限らず、入学祝や葬式などこの他種々の慶弔用の案内状を作成するようにしても良い。
【０１２１】
さらに、上述した実施の形態においては、慶弔に関する本文を、結婚報告文、第１披露宴案内文及び第２披露宴案内文の３つで構成するようにした場合について述べたが、本発明はこれに限らず、慶弔に関する本文を、第１結婚報告文、当該第１結婚報告文に繋がる表現の第２結婚報告文など２つや４つなどこの他種々の数で構成するようにしても良い。
【０１２２】
さらに、上述した実施の形態においては、挨拶文ブロックとして、第１Aブロック、第１Bブロック及び第２ブロックの３つで構成するようにした場合について述べたが、本発明はこれに限らず、２つや４つなどこの他種々の数で挨拶文ブロックを構成するようにしても良い。
【０１２３】
さらに、上述した実施の形態においては、イラストブロックとして、イラスト１、イラスト２及びイラスト３の３つで構成するようにした場合について述べたが、本発明はこれに限らず、２つや４つなどこの他種々の数でイラストブロックを構成するようにしても良い。
【０１２４】
さらに、上述した実施の形態においては、新郎用と新婦用とで各ブロック内の文章の表現を異なるようにした場合について述べたが、本発明はこれに限らず、ユーザの性別だけでなく、案内状を作成する年齢や案内状を作成する季節などに応じて各ブロック内の文章の表現を異なるようにしても良い。
【０１２５】
さらに、上述した実施の形態においては、各ブロック内の複数種類の文章を「です・ます」調の文体で表現するようにした場合について述べたが、本発明はこれに限らず、各ブロック内の複数種類の文章を「である」調などを用いた文体、或いは丁寧語や尊敬語を用いた文体などこの他種々の文体で表現するようにしても良い。
【図面の簡単な説明】
【０１２６】
【図１】本発明による披露宴案内状作成システムの全体構成を示す略線図である。
【図２】パーソナルコンピュータの回路構成を示すブロック図である。
【図３】サービスサーバの回路構成を示すブロック図である。
【図４】ブロック情報記憶部の内部構成を示すブロック図である。
【図５】新郎用テーブルの構成を示す略線図である。
【図６】新婦用テーブルの構成を示す略線図である。
【図７】イラストテーブルの構成を示す略線図である。
【図８】案内状取得処理手順を示すフローチャートである。
【図９】新婦用案内状作成画面の構成を示す略線図である。
【図１０】新郎用案内状作成画面の構成を示す略線図である。
【図１１】案内状の構成を示す略線図である。
【図１２】案内状提供処理手順を示すフローチャートである。
【図１３】案内文及びイラストの添付の様子を示す略線図である。
【符号の説明】
【０１２７】
１  披露宴案内状作成システム（慶弔案内状作成システム）
２  パーソナルコンピュータ（案内状作成装置）
３  サービスサーバ（案内状提供装置）
４  インターネット（ネットワーク）
10  ＣＰＵ
15  表示部（表示手段）
16  操作部（選択手段）
14  ネットワークインターフェース（送信手段）
20  制御部（案内状作成手段）
22  ネットワークインターフェース（受信手段）
【図１】
2005215907.tif 000003
【図２】
2005215907.tif 000004
【図３】
2005215907.tif 000005
【図４】
2005215907.tif 000006
【図５】
2005215907.tif 000007
【図６】
2005215907.tif 000008
【図７】
2005215907.tif 000009
【図８】
2005215907.tif 000010
【図９】
2005215907.tif 000011
【図１０】
2005215907.tif 000012
【図１１】
2005215907.tif 000013
【図１２】
2005215907.tif 000014
【図１３】
2005215907.tif 000015